【手続補正書】
【提出日】平成19年5月31日(2007.5.31)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【発明の名称】心髄仏壇
【技術分野】
【０００１】  本発明は、従来の家庭にある和仏壇、インテリア仏壇、洋仏壇及び寺院の仏壇など、すべての仏壇に関する発明である。
【背景技術】
【０００２】  従来の仏壇は、松・鶴・菊などの彫刻を施した和仏壇、洋仏壇、近代的な住宅の室内のインテリアに合わせたインテリア仏壇などがあるが、いずれも御先祖様の位牌だけを安置して供養する事が目的であった。
【発明の開示】
【本発明が解決しようとする課題】
【０００３】  しかしながら、従来仏壇では、日々の御先祖様の供養をするに当たって、仏壇に御先祖様のイメージがない為に、生前の姿を心に想い描く事が困難であり、歴代の御先祖様を偲ぶ事に対して、気持ちが薄くなる点が問題であった。
【０００４】  本発明の目的は、上述の点に鑑み、従来技術の歴史を損なう事無く歴代の御先祖様を日々心に想い描きながら供養でき、かつ家系の歴史を子孫に伝える役目も果たす事ができる心髄仏壇を提供する事にある。
【課題を解決するための手段】
【０００５】  この目的を達成するため、本発明は歴代の御先祖様を認識できるイメージ（遺影・写真・フィルムプリント・絵・言葉・詩・彫刻・家紋などであらゆる材質が使用可能）を仏壇本体の上部・両側・扉にも表示する事ができる仏壇とした。またあらゆる種類の照明を設置適応する事が可能で、御先祖様のイメージを浮かび上がらせる事で常に目を引くようにし、また日々の御先祖供養の中で御先祖様の事を子孫に語り継ぐ手助けをする事を可能とした。
【実施例】
【０００６】  以下、本発明の実施の形態を図１〜図９に基づいて説明する。【０００７】  図１は、第１の実施例を示す。
心髄仏壇１には、蝶番３によって開閉可能な状態で扉２が取り付けられる。扉２及び仏壇上部梁５の上方には、固定もしくは着脱可能な状態でイメージ板６が取り付けられている。イメージ板６は、心髄仏壇１と一体でも効果は同様である。イメージ板６及び仏壇の上方には、着脱可能な状態で、少なくとも１つ以上で１人以上のあらゆる材質が使用可能な御先祖様のイメージ４を取り付ける事ができる構造となる。【０００８】  図２は、第２の実施例を示す。
基本的には図１の第１の実施例と同様であるが、心髄仏壇１の上方にのみ御先祖様のイメージ４を配置した物であり、扉を有さない仏壇にも対応できる物である。【０００９】  図３は、第３の実施例を示す。
基本的には図２の第２の実施例と同様であるが、扉を有さないタイプの心髄仏壇１の上方だけでなく、仏壇の両側にも御先祖様のイメージ４を１人以上、１つ以上配置した物である。【００１０】  図１，２，３に示す通り、仏壇上部梁５の上方、扉２、仏壇の両側の全箇所もしくは一箇所以上に１人以上、１つ以上の御先祖様のイメージ４を配置する構成が可能とする。【００１１】  図４は、イメージ板６の第１の実施例を示す。イメージ板６を裏面から表示した物である。イメージ板６の表面には、少なくとも１つ以上、御先祖様のイメージ４を表示する事ができる前面窓７を有し、裏面にはイメージ等を挿入する為の背面窓８を有する。イメージ板６には、少なくとも光を通す事ができ、かつ必要に応じて取り付けるイメージ保護板９、御先祖様のイメージ４の順に取り付け、背面には、必要に応じて少なくとも光を通す事が可能な背面取付板１０で覆い、最後に取付板固定クリップ１１とクリップ固定用ネジ１２により、イメージ板６に固定する。また、御先祖様のイメージ４を固定もしくは着脱可能な状態で取付ける方法として、磁性体を用いるなど、あらゆる種類の着脱可能な取付方法を適応できる。【００１２】  図５は、イメージ板６の第２の実施例を示す。
基本的には図４と同様であるが、一体もしくは表面側と裏面側を組み立てて出来るイメージ板６の表面側と裏面側との間に、イメージ保護板９、御先祖様のイメージ４及び必要に応じて取り付ける背面取付板１０を挿入する形の物である。イメージ板６の裏面側には、背面穴１３を有する構造となる。また、１枚以上の御先祖様のイメージ４を同時に着脱できる構造も可能とする。【００１３】  図６は、イメージ板６を仏壇上部梁５に取り付ける第１の実施例を示す。
イメージ板６は、蝶番１４により取り付け状態から少なくとも０度を超える角度で開く事ができるように取り付けるもので、開く事によって御先祖様のイメージ４を着脱する事ができる構造となる。イメージ板６の裏側には、御先祖様のイメージ４を照らす事を目的として必要に応じて取付け可能な、光を発するイメージ照明１５を固定もしくは着脱可能の状態で設置する。イメージ照明１５は、どのような種類の光を発する方法であっても設置適応する事が可能である。イメージ照明１５を設置する場合、御先祖様のイメージ４を明るくするという目的を有すれば、御先祖様のイメージ４自体が発光しても、その背面以外の場所に設置しても構わず、配線１６及び電源スイッチ１７を必要に応じて介し、少なくともイメージ照明１５が光を発するに必要な電力を発生する電源１８に接続し、電力を供給する構造とする。電源１８の種類は必要に応じて任意の設定が可能である。【００１４】  図７は、イメージ板６を仏壇上部梁５に取り付ける第２の実施例を示す。
イメージ板６の上端、下端もしくは端面に、少なくとも１箇所以上の場所に磁気を有する磁性体１９を取り付けた構造となっており、仏壇上部梁５に固定され少なくとも一部は磁気に吸着される素材でできたイメージ板取付部２０と引き合う事により、イメージ板６は仏壇上部梁５に着脱可能な状態で取り付けできる。磁性体１９とイメージ取付部２０の素材は、上記の逆の場合でも可能とする。【００１５】  図８は、イメージ板６を仏壇上部梁５に取り付ける第３の実施例を示す。
イメージ板６の上端、下端もしくは端面に、少なくとも１箇所以上の場所にイメージ板取付用凸部２１を有する構造となっており、仏壇上部梁５に固体されたイメージ板取付用凹部２２を有するイメージ板取付部２０に嵌め込む事で、イメージ板６を仏壇上部梁５に着脱可能な状態で取り付ける事ができる。イメージ板取付用凸部２１とイメージ板取付用凹部２２は、上記の逆の場合でも可能とする。仏壇最上部に御先祖様のイメージ４を取付ける場合も、これに類する取付け方法を可能とする。【００１６】  図９は、イメージ板６を仏壇上部梁５に取り付ける第４の実施例を示す。
イメージ板６の上端、下端もしくは端面に、少なくとも１箇所以上の場所にイメージ板取付用オス金具２３を有する構造となっており、仏壇上部梁５に固体されイメージ板取付部２０に取り付けてあるイメージ板取付用メス金具２４に嵌め込む事で、イメージ板６を仏壇上部梁５に着脱可能な状態で取り付けできる。イメージ板取付用オス金具２３とイメージ板取付用メス金具２４は、上記の逆の場合でも可能とする。
【発明の効果】
【００１７】  本発明は、以上に説明したような構成により次のような効果を奏する。
○仏壇の上部・両側・扉に少なくとも１箇所以上の場所に、１人以上で１つ以上の御先祖様の生前のイメージ（遺影等）を表示する事で、常に御先祖様の姿を心に想い描いて供養する事ができる。
○イメージを照明によって明るくする事で、御先祖様への想いを深める事ができる。
○１人以上の歴代のご先祖様を日々敬い、御先祖様がいるから今の私たちがある事を自覚して、家系の歴史を子孫に伝えながら御先祖様を想い、話し掛ける事ができる。
【図面の簡単な説明】
【００１８】
【図１】本発明の第１の実施例を示す図
【図２】本発明の第２の実施例を示す図
【図３】本発明の第３の実施例を示す図
【図４】イメージ板の第１の実施例を示す図
【図５】イメージ板の第２の実施例を示す図
【図６】イメージ板を取り付ける第１の実施例を示す図
【図７】イメージ板を取り付ける第２の実施例を示す図
【図８】イメージ板を取り付ける第３の実施例を示す図
【図９】イメージ板を取り付ける第４の実施例を示す図
【符号の説明】
【００１９】１    心髄仏壇
２    扉
３    蝶番
４    御先祖様のイメージ（遺影・写真・絵・言葉・詩・彫刻・家紋など）
５    仏壇上部梁
６    イメージ板
７    前面窓
８    背面窓
９    イメージ保護板
１０  背面取付板
１１  取付板固定クリップ
１２  クリップ固定用ネジ
１３  背面穴
１４  取付蝶番
１５  イメージ照明
１６  配線
１７  電源スイッチ
１８  電源
１９  磁性体（永久磁石・電磁石など）
２０  イメージ板取付部
２１  イメージ板取付用凸部
２２  イメージ板取付用凹部
２３  イメージ板取付用オス金具
２４  イメージ板取付用メス金具
【手続補正２】
【補正対象書類名】手続補正書
【補正対象項目名】手続補正２
【補正方法】削除
【補正の内容】